【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
第１及び第２工作物の相補的側部を同時に誘導加熱するためのフラット型両面インダクタアセンブリであって、
第１工作物インダクタが、
第１工作物の第１工作物フェースを誘導加熱する第１平面配向インダクタと、
前記第１平面配向インダクタに電気的に接続した第１インダクタ端子セクションとを含み、
第２工作物インダクタが、
前記第１平面配向インダクタに平面対向配置され且つ前記第２工作物の第２工作物フェースを誘導加熱する構成を有する第２平面配向インダクタにして、前記第２工作物フェース及び第１工作物フェースが第１及び第２工作物の相補的側部を形成する第２平面配向インダクタと、
第２インダクタ端子セクションにして、前記第２平面配向インダクタに電気的に結合され、第２平面配向インダクタ及び前記第２インダクタ端子セクションが、前記第１平面配向インダクタ及び前記第１インダクタ端子セクションから電気的に絶縁される第２インダクタ端子セクションとを含み、
前記第１平面配向インダクタ及び第２平面配向インダクタを直列電気接続して前記第１インダクタ端子セクションから第２インダクタ端子セクションへの直列電気回路を形成する第１及び第２工作物インダクタ電気接続手段を含むフラット型両面インダクタアセンブリ。
【請求項２】
前記第１平面配向インダクタが第１螺旋インダクタを含み、前記第２平面配向インダクタが第２螺旋インダクタを含む請求項１に記載のフラット型両面インダクタアセンブリ。
【請求項３】
前記第１平面配向インダクタ及び第２平面配向インダクタを直列電気接続する前記第１及び第２工作物インダクタ電気接続手段が、第１螺旋インダクタの第１インダクタ内側コイル端子と、第２螺旋インダクタの第２インダクタ内側コイル端子との間のろう接連結部を含む請求項２に記載のフラット型両面インダクタアセンブリ。
【請求項４】
第１あるいは第２平面配向インダクタの少なくとも１つのプロファイル化セクションを更に含む請求項１乃至３のいずれか一項に記載のフラット型両面インダクタアセンブリ。
【請求項５】
第１インダクタ端子セクションと、第２インダクタ端子セクションとの間に連結した交流源を更に含む請求項１乃至３のいずれか一項に記載のフラット型両面インダクタアセンブリ。
【請求項６】
第１平面配向インダクタを第１インダクタ端子セクションに電気的に相互連結する第１インダクタライザセクション、及び第２平面配向インダクタを第２インダクタ端子セクションに電気的に相互連結する第２インダクタライザセクションを更に含む請求項１乃至３のいずれか一項に記載のフラット型両面インダクタアセンブリ。
【請求項７】
第１工作物インダクタを取り付けるための第１インダクタフレームと、第２工作物インダクタを取り付けるための第２インダクタフレームとを更に含む請求項１乃至３のいずれか一項に記載のフラット型両面インダクタアセンブリ。
【請求項８】
第１及び第２インダクタを相互に電気的に絶縁させるための、第１インダクタフレームと、第２インダクタフレームとの間に配置した絶縁体を更に含む請求項７に記載のフラット型両面インダクタアセンブリ。
【請求項９】
両面インダクタ引き抜きアセンブリにして、
固定一次取付構造に取り付けられ且つ給電磁気装置及び復電磁気装置を含む一次磁気装置と、
インダクタ給電磁気装置及びインダクタ復電磁気装置を有する二次磁気装置にして、給電磁気装置がインダクタ給電磁気装置と整列し、且つ、復電磁気装置がインダクタ復電磁気装置と整列して給電磁気装置及び復電磁気装置に交流電流が供給されるとインダクタ給電磁気装置及びインダクタ復電磁気装置の夫々に磁束が移行される誘導加熱位置と、給電磁気装置がインダクタ給電磁気装置と整列せず、且つ、復電磁気装置がインダクタ復電磁気装置と整列せず、二次磁気装置を摺動させることによりインダクタ給電磁気装置及びインダクタ復電磁気装置が交流電流から絶縁される誘導加熱後引き抜き位置との間で一次磁気装置に対して摺動自在に取り付けた二次磁気装置と、
インダクタ給電磁気装置に連結した引き抜きアセンブリインダクタ給電端子にして、第１インダクタ端子セクションをインダクタ給電磁気装置に電気的に接続する引き抜きアセンブリインダクタ給電端子と、
前記インダクタ復電磁気装置に連結した引き抜きアセンブリインダクタ復電端子にして、第２インダクタ端子セクションをインダクタ復電磁気装置に電気的に接続する引き抜きアセンブリインダクタ復電端子と、
を含む両面インダクタ引き抜きアセンブリ
を含む請求項１に記載のフラット型両面インダクタアセンブリ。
【請求項１０】
給電及び復電磁気装置の各々と、インダクタ給電及び復電磁気装置の各々とがコイル巻きコアを含む請求項９に記載のフラット型両面インダクタアセンブリ。
【請求項１１】
第１平面配向インダクタあるいは第２平面配向インダクタの何れかが、第１平面配向インダクタあるいは第２平面配向インダクタの、誘導加熱位置から誘導加熱後引き抜き位置への移行を許容する少なくとも１つのコイル凹部を更に含む請求項９に記載のフラット型両面インダクタアセンブリ。
【請求項１２】
給電磁気装置及び復電磁気装置に交流電流を供給するための出力部を有する交流電源を更に含む請求項９に記載のフラット型両面インダクタアセンブリ。
【請求項１３】
第１工作物及び第２工作物の相補的側部をフラット型両面インダクタアセンブリにより同時に誘導加熱する方法であって、
第１工作物インダクタが、第１工作物の第１工作物フェースを誘導加熱する第１平面配向インダクタと、前記第１平面配向インダクタに電気的に接続した第１インダクタ端子セクションとを含み、
第２工作物インダクタが、前記第１平面配向インダクタに平面対向配置され且つ前記第２工作物の第２工作物フェースを誘導加熱する構成を有する第２平面配向インダクタにして、前記第２工作物フェース及び第１工作物フェースが第１及び第２工作物の相補的側部を形成する第２平面配向インダクタと、前記第２平面配向インダクタに電気的に結合された第２インダクタ端子セクションにして、前記第２平面配向インダクタ及び前記第２インダクタ端子セクションが前記第１平面配向インダクタ及び前記第１インダクタ端子セクションから電気的に絶縁される第２インダクタ端子セクションと、を含み、
前記第１平面配向インダクタ及び第２平面配向インダクタを直列電気接続して前記第１インダクタ端子セクションから第２インダクタ端子セクションへの直列電気回路を形成する第１及び第２工作物インダクタ電気接続手段を含み、
前記方法が、
インダクタ給電部及びインダクタ復電部を、二次磁気電力回路への直列電気回路に接続するステップ、
前記二次磁気電力回路を、交流電源に接続した一次磁気電力回路と、前記二次磁気電力回路と一次磁気電力回路との間を物理的に連結させることなく、給電磁束界カップリング及び復電磁束界カップリングにより磁気カップリングさせ、かくして第１及び第２工作物の相補的側部を同時に誘導加熱するステップ、
前記二次磁気電力回路を一次磁気電力回路から同時に分離させ、前記一次磁気電力回路を固定状態に維持し、その間、二次磁気電力回路を、装着されたインダクタアセンブリと共に移動させることで、第１及び第２工作物の相補的側部からフラット型両面インダクタアセンブリを引き抜き、かくして、前記第１及び第２工作物の相補的側部間に無妨害空間を生じさせるステップ、
を含む方法。
【請求項１４】
両面インダクタ引き抜きアセンブリであって、
固定一次取付構造に取り付けた固定された一次磁気装置にして、給電磁気装置及び復電磁気装置を有する一次磁気装置と、
インダクタ給電磁気装置及びインダクタ復電磁気装置を有する二次磁気装置にして、一次磁気装置から絶縁されると共に、
給電磁気装置がインダクタ給電磁気装置と整列し、且つ、復電磁気装置がインダクタ復電磁気装置と整列し、給電磁気装置及び復電磁気装置に交流電流源が供給されてインダクタ給電磁気装置及びインダクタ復電磁気装置の夫々に磁束が移行される両面インダクタ加熱位置と、
給電磁気装置がインダクタ給電磁気装置と整列せず、且つ、復電磁気装置がインダクタ復電磁気装置と整列せず、インダクタ給電磁気装置及びインダクタ復電磁気装置が、一次磁気装置に対して工作物対非干渉位置側へ二次磁気装置を摺動させることにより交流電流源から絶縁される工作物対非干渉位置との間で、一次磁気装置に対して摺動自在に取り付けた二次磁気装置と、
インダクタ給電磁気装置に連結した両面インダクタ引き抜きアセンブリインダクタ給電端子にして、フラット型両面インダクタアセンブリの第１インダクタ端子セクションとの電気的接続のために構成された両面インダクタ引き抜きアセンブリインダクタ給電端子と、
前記インダクタ復電磁気装置に連結した両面インダクタ引き抜きアセンブリインダクタ復電端子にして、フラット型両面インダクタアセンブリの第２インダクタ端子セクションとの電気的接続のために構成された両面インダクタ引き抜きアセンブリインダクタ復電端子と、
二次磁気装置と両面インダクタ引き抜きアセンブリインダクタ給電及び復電端子を両面インダクタ加熱位置と工作物対非干渉位置の間で移動させるために二次磁気装置に連結した両面インダクタ引き抜きアクチュエータと、
を含む両面インダクタ引き抜きアセンブリ。
【請求項１５】
前記給電磁気装置、復電磁気装置、インダクタ給電磁気装置及びインダクタ復電磁気装置が、別々のコイル巻きコアを含む請求項１４に記載の両面インダクタ引き抜きアセンブリ。
【請求項１６】
前記給電磁気装置が、開口を有する矩形の給電磁気コアを含み、前記給電磁気コア内部に配置した給電導電体が交流電源の給電出力に接続され、
前記復電磁気装置が、開口を有する矩形の復電磁気コアを含み、前記復電磁気コア内部に配置した復電導電体が交流電源の復電出力に接続され、
前記インダクタ給電磁気装置が、開口を有する矩形のインダクタ給電磁気コアを含み、前記インダクタ給電磁気コア内に配置したインダクタ給電導電体が、両面インダクタ引き抜きアセンブリインダクタ給電端子に接続され、
前記インダクタ復電磁気装置が、開口を有する矩形のインダクタ復電磁気コアを含み、前記インダクタ復電磁気コア内に配置したインダクタ復電導電体が、両面インダクタ引き抜きアセンブリインダクタ復電端子に接続される請求項１４に記載の両面インダクタ引き抜きアセンブリ。
【請求項１７】
固定一次取付構造に対して取り付けられた給電導体と復電導体を更に備え、給電及び復電導体が、一次磁気装置を交流電流源に接続する、請求項１４乃至１６のいずれか一項に記載の両面インダクタ引き抜きアセンブリ。
【請求項１８】
両面インダクタ引き抜きアクチュエータは、両面インダクタ加熱位置と工作物対非干渉位置の間で、二次磁気装置と両面インダクタ引き抜きアセンブリインダクタ給電及び復電端子を直線的に動かすように構成される、請求項１４乃至１７のいずれか一項に記載の両面インダクタ引き抜きアセンブリ。
【請求項１９】
フラット型両面インダクタアセンブリ冷却回路への及びそこからの冷却用流体媒体の供給及び復流のための少なくとも１つの供給及び復流冷却用流体媒体ケーブルを更に備える、請求項１４乃至１８のいずれか一項に記載の両面インダクタ引き抜きアセンブリ。
【請求項２０】
両面インダクタ加熱位置と工作物対非干渉位置を有するフラット型対両面直列接続インダクタアセンブリのための両面インダクタ引き抜きアセンブリであって、
固定一次取付構造に取り付けた固定された一次磁気装置にして、給電磁気装置及び復電磁気装置を有する一次磁気装置と、
インダクタ給電磁気装置及びインダクタ復電磁気装置を有する二次磁気装置にして、一次磁気装置から絶縁されると共に、
給電磁気装置がインダクタ給電磁気装置と整列し、且つ、復電磁気装置がインダクタ復電磁気装置と整列し、給電磁気装置及び復電磁気装置に交流電流源が供給されてインダクタ給電磁気装置及びインダクタ復電磁気装置の夫々に磁束が移行される両面インダクタ加熱位置と、
一次磁気装置に対して二次磁気装置を摺動してインダクタ給電磁気装置及びインダクタ復電磁気装置を交流電流から絶縁させることにより、給電磁気装置がインダクタ給電磁気装置と整列せず、且つ、復電磁気装置がインダクタ復電磁気装置と整列しない工作物対非干渉位置との間での摺動のために一次磁気装置に隣り合って摺動自在に取り付けられた二次磁気装置と、
インダクタ給電磁気装置に連結した両面インダクタ引き抜きアセンブリインダクタ給電端子にして、二次磁気装置と一緒に取り付けられ、また、フラット型対両面直列接続インダクタアセンブリの第１インダクタ端子セクションとの電気的接続のために構成された両面インダクタ引き抜きアセンブリインダクタ給電端子と、
前記インダクタ復電磁気装置に連結した両面インダクタ引き抜きアセンブリインダクタ復電端子にして、二次磁気装置と一緒に取り付けられ、また、フラット型対両面直列接続インダクタアセンブリの第２インダクタ端子セクションとの電気的接続のために構成された両面インダクタ引き抜きアセンブリインダクタ復電端子と、
二次磁気装置と両面インダクタ引き抜きアセンブリインダクタ給電及び復電端子を両面インダクタ加熱位置と工作物対非干渉位置の間で移動させるために二次磁気装置に連結した両面インダクタ引き抜きアクチュエータと、
を含む両面インダクタ引き抜きアセンブリ。